(57)【要約】【課題】表示中の静止画において顔などの重要領域を外してメッセージを表示するとともに、表示中の静止画の輝度に応じてメッセージパネルの透過度を変更することが可能な静止画再生装置及び静止画再生方法を提供する。【解決手段】静止画とメッセージとを合成して表示部に表示させる静止画再生装置であって、静止画の静止画イメージデータを記憶する記憶部と、メッセージ表示要求を受信するメッセージ表示制御部と、メッセージ表示要求を受信した場合に、静止画イメージデータの重要表示領域を特定する画像解析部と、特定された重要表示領域の情報に基づいて、表示部の表示領域においてメッセージを表示するメッセージ表示領域を特定する表示位置特定部と、特定されたメッセージ表示領域にメッセージのイメージデータを配置し、静止画イメージデータと合成して出力する出力部と、を具備することを特徴とする。【選択図】図１
2011250348.tif 000002
【特許請求の範囲】
【請求項１】
静止画とメッセージとを合成して表示部に表示させる静止画再生装置であって、
前記静止画の静止画イメージデータを記憶する記憶部と、
前記メッセージの表示要求を受信するメッセージ表示制御部と、
前記メッセージの表示要求を受信した場合に、前記静止画イメージデータの重要表示領域を特定する画像解析部と、
特定された前記重要表示領域の情報に基づいて、前記表示部の表示領域において前記メッセージを表示するメッセージ表示領域を特定する表示位置特定部と、
特定された前記メッセージ表示領域に前記メッセージのイメージデータを配置し、前記静止画イメージデータと合成して出力する出力部と、
を具備することを特徴とする静止画再生装置。
【請求項２】
前記表示位置特定部は、前記重要表示領域から最も遠い前記表示部の表示領域を前記メッセージ表示領域として特定する、ことを特徴とする請求項１に記載の静止画再生装置。
【請求項３】
前記画像解析部は、前記メッセージ表示領域に表示される静止画の平均輝度を算出し、算出された前記平均輝度に基づいて前記メッセージ表示領域の輝度を決定する、ことを特徴とする請求項１に記載の静止画再生装置。
【請求項４】
静止画の静止画イメージデータを記憶する記憶ステップと、
メッセージの表示要求を受信するメッセージ表示制御ステップと、
前記メッセージの表示要求を受信した場合に、前記静止画イメージデータの重要表示領域を特定する画像解析ステップと、
特定された前記重要表示領域の情報に基づいて、表示部の表示領域において前記メッセージを表示するメッセージ表示領域を特定する表示位置特定ステップと、
特定された前記メッセージ表示領域に前記メッセージのイメージデータを配置し、前記静止画イメージデータと合成して出力する出力ステップと、
を有することを特徴とする静止画再生方法。
【請求項５】
前記表示位置特定ステップは、前記重要表示領域から最も遠い前記表示部の表示領域を前記メッセージ表示領域として特定する、ことを特徴とする請求項４に記載の静止画再生方法。
【請求項６】
前記画像解析ステップは、前記メッセージ表示領域に表示される静止画の平均輝度を算出し、算出された前記平均輝度に基づいて前記メッセージ表示領域の輝度を決定する、ことを特徴とする請求項４に記載の静止画再生方法。
【発明の詳細な説明】
【技術分野】
【０００１】
本発明は静止画再生装置及び静止画再生方法に関し、更に詳しくは、静止画のスライドショー表示中にメッセージをユーザーに提示することが可能な静止画再生装置及び静止画再生方法に関する。
【背景技術】
【０００２】
従来、静止画スライドショー表示中において、ユーザーにメッセージを提示する場合、そのメッセージを静止画スライドショー画面に重畳して表示する静止画再生装置がある。
【０００３】
また、静止画のスライドショー表示中においてメール着信などの情報を表示するために、予めメール着信などの情報を表示する表示用のエリアを確保している装置がある（例えば、特許文献１参照）。
【先行技術文献】
【特許文献】
【０００４】
【特許文献１】特開２００６−０８１０５５号公報
【発明の概要】
【発明が解決しようとする課題】
【０００５】
しかしながら、上記従来の静止画再生装置では、メッセージによって静止画の表示領域が覆い隠されてしまい、ユーザーはスライドショー表示中の静止画を確認することが難しいという問題があった。
【０００６】
また、上記特許文献１記載の装置では、メッセージを表示するための表示用エリアを確保しているために常に静止画の表示領域が実際の画面サイズよりも小さくなるという問題があった。
【０００７】
本発明は、上記事情に鑑みてなされたものであって、静止画スライドショー表示中にユーザーにメッセージ表示を行う必要がある場合、表示中の静止画において顔などの重要領域を外してメッセージを表示するとともに、表示中の静止画の輝度に応じてメッセージパネルの透過度を変更することが可能な静止画再生装置及び静止画再生方法を提供することを目的とする。
【課題を解決するための手段】
【０００８】
本発明の請求項１にかかる静止画再生装置は、静止画とメッセージとを合成して表示部に表示させる静止画再生装置であって、静止画の静止画イメージデータを記憶する記憶部と、メッセージの表示要求を受信するメッセージ表示制御部と、メッセージの表示要求を受信した場合に、静止画イメージデータの重要表示領域を特定する画像解析部と、特定された重要表示領域の情報に基づいて、表示部の表示領域においてメッセージを表示するメッセージ表示領域を特定する表示位置特定部と、特定されたメッセージ表示領域にメッセージのイメージデータを配置し、静止画イメージデータと合成して出力する出力部と、を具備することを特徴とする。
【０００９】
また、本発明の請求項２にかかる静止画再生装置は、本発明の請求項１にかかる静止画再生装置の構成において、表示位置特定部は、重要表示領域から最も遠い表示部の表示領域をメッセージ表示領域として特定する、ことを特徴とする。
【００１０】
また、本発明の請求項３にかかる静止画再生装置は、本発明の請求項１にかかる静止画再生装置の構成において、画像解析部は、メッセージ表示領域に表示される静止画の平均輝度を算出し、算出された平均輝度に基づいてメッセージ表示領域の輝度を決定する、ことを特徴とする。
【００１１】
また、本発明の請求項４にかかる静止画再生方法は、静止画の静止画イメージデータを記憶する記憶ステップと、メッセージの表示要求を受信するメッセージ表示制御ステップと、メッセージの表示要求を受信した場合に、静止画イメージデータの重要表示領域を特定する画像解析ステップと、特定された重要表示領域の情報に基づいて、表示部の表示領域においてメッセージを表示するメッセージ表示領域を特定する表示位置特定ステップと、特定されたメッセージ表示領域にメッセージのイメージデータを配置し、静止画イメージデータと合成して出力する出力ステップと、を有することを特徴とする。
【００１２】
また、本発明の請求項５にかかる静止画再生方法は、本発明の請求項４にかかる静止画再生方法の構成において、表示位置特定ステップは、重要表示領域から最も遠い表示部の表示領域をメッセージ表示領域として特定する、ことを特徴とする。
【００１３】
また、本発明の請求項６にかかる静止画再生方法は、本発明の請求項４にかかる静止画再生方法の構成において、画像解析ステップは、メッセージ表示領域に表示される静止画の平均輝度を算出し、算出された平均輝度に基づいてメッセージ表示領域の輝度を決定する、ことを特徴とする。
【発明の効果】
【００１４】
本発明によれば、静止画スライドショー表示中の視聴予約実行開始やメール到着などのメッセージを表示中の静止画の重要領域を外して表示できるようになり、メッセージ表示による煩わしさを軽減することができる。
【図面の簡単な説明】
【００１５】
【図１】本発明の実施の形態１にかかる静止画再生装置の構成を示すブロック図
【図２】本発明の実施の形態１にかかる静止画再生処理を示すフローチャート
【発明を実施するための形態】
【００１６】
（実施の形態１）
本実施の形態では、静止画再生装置をデジタルテレビとし、デジタルテレビにおいて、ＳＤカードやハードディスクに記録されている静止画をスライドショー表示している時に、視聴予約が開始される場合又は電子メールが到着した場合にメッセージを表示する形態を説明する。
【００１７】
図１は、本発明の実施の形態１にかかる静止画再生装置の構成を示すブロック図である。デジタルテレビ１００は、外部デバイス接続部１０１と、表示部１０２と、ＶＲＡＭ（記憶部）１０３と、選局部１０４と、ネットワーク接続部１０５と、制御ブロック１１０と、表示ブロック１２０と、選局ブロック１３０から構成される。ここで、制御ブロック１１０は、デバイス制御部１１１と、メッセージ表示制御部１１２から構成される。また、表示ブロック１２０は、デコード部１２１と、出力部１２２と、表示位置特定部１２３と、画像解析部１２４から構成される。また、選局ブロック１３０は、受信部１３１と、ＡＶ復号部１３２と、視聴予約実行部１３３と、メール監視部１３４から構成される。
【００１８】
以下、図１及び図２を用いてデジタルテレビ１００で実行する静止画再生処理について説明する。図２は、本発明の実施の形態１にかかる静止画再生処理を示すフローチャートである。
【００１９】
デバイス制御部１１１は、外部デバイス接続部１０１のＳＤカードスロットやＵＳＢポートに接続されたＳＤカードやＵＳＢハードディスク等の外部記憶媒体から、ユーザーからのスライドショー表示要求に応じて静止画を検索して対象の静止画データを読み出し、読み出した静止画データをデコード部１２１に出力する（ステップＳ２０１）。デコード部１２１は、ＪＰＥＧなどの静止画データをデコードし（ステップＳ２０２）、デコードした結果である静止画イメージデータを、出力部１２２を介してＶＲＡＭ１０３に格納する（ステップＳ２０３）。前記処理後、ＶＲＡＭ１０３に格納した静止画イメージデータを表示部１０２の所定位置に表示させ、これらの一連の処理を一定間隔で繰り返すことにより静止画のスライドショー表示を実行する。メッセージ表示制御部１１２は、この静止画のスライドショー表示中において、静止画のスライドショー表示中に、視聴予約実行部１３３またはメール監視部１３４からメッセージ表示要求（視聴予約開始メッセージの表示要求、または電子メール到着メッセージの表示要求）があるかどうかを判断する（ステップＳ２０４）。
【００２０】
ここで、スライドショー表示の実行中においてユーザーにより設定された視聴予約の開始時刻になると、視聴予約実行部１３３は、選局部１０４に予約対象の番組を選局させ、受信部１３１を介してＡＶ復号部１３２に選局した番組を出力させる。ＡＶ復号部１３２は、選局した番組の映像データをデコードしてＶＲＡＭ１０３に転送し、表示部１０２に表示させる。このようにスライドショー表示中に視聴予約が開始されると、表示部１０２にはスライドショー表示中の静止画ではなく、視聴予約の番組が表示され、スライドショー表示は中断される。そのため、視聴予約実行部１３３は、視聴予約開始の所定時間前に、ユーザーに視聴予約が開始されることを通知するメッセージを視聴予約開始メッセージの表示要求としてメッセージ表示制御部１１２に出力する。
【００２１】
また、メール監視部１３４は、受信部１３１を介して、スライドショー表示の実行中に選局部１０４またはネットワーク接続部１０５経由で送信されてくる電子メールを監視し、電子メールが到着した場合は、メッセージ表示制御部１１２に電子メール到着メッセージの表示要求を行う。
【００２２】
メッセージ表示制御部１１２は、上記のメッセージ表示要求が入力された場合（ステップＳ２０４で「ＹＥＳ」）、画像解析部１２４に、ＶＲＡＭ１０３に格納されている静止画イメージデータから既存の画像認識技術により人間の顔などの重要表示領域を特定させる（ステップＳ２０５）。そして表示位置特定部１２３に、画像解析部１２４により特定された重要表示領域から最も遠い表示部１０２の表示領域の４隅のうちの１点（基点Ｘ）を特定させる（ステップＳ２０６）。ステップＳ２０６の処理実行後に、画像解析部１２４は、表示位置特定部１２３により特定された基点Ｘからメッセージ表示領域内の静止画の輝度の平均を予め保持する輝度テーブルより算出し（ステップＳ２０７）、平均輝度値に応じたメッセージパネルの透過度αを決定する（ステップＳ２０８）。具体的には、メッセージ表示領域内の静止画が暗い画像の場合はメッセージパネルの透過度を高く、明るい画像の場合はメッセージパネルの透過度を低く設定する。これにより背景画像である静止画とメッセージの視認性をバランスよく保つことができる。
【００２３】
上記処理後、出力部１２２は、表示位置特定部１２３で特定された基点Ｘよりメッセージパネルの透過度をαに設定して、メッセージの画像イメージデータと静止画イメージデータとを合成してＶＲＡＭ１０３に記憶させ（ステップＳ２０９）、記憶させた合成イメージデータを表示部１０２に表示させる（ステップＳ２１０）。これにより、静止画の重要領域を避けたメッセージ表示を実現できる。
【００２４】
なお、本実施の形態では、静止画再生装置としてデジタルテレビ１００を例に挙げて説明しているが、例えば、セットトップボックス、ＤＶＤレコーダー等の表示部１０２を別体とした静止画再生装置であってもよい。
【産業上の利用可能性】
【００２５】
本発明によれば、静止画表示中の視聴予約実行開始やメール到着などのメッセージを表示中の静止画の重要領域を外して表示できるようになり、メッセージ表示による煩わしさを軽減することができることができるので、デジタルテレビ等のＡＶ機器における静止画表示中のメッセージ表示だけでなく、携帯電話やパソコンなどでの静止画再生中のメッセージ表示に対しても有用である。
【符号の説明】
【００２６】
１００    デジタルテレビ
１０１    外部デバイス接続部
１０２    表示部
１０３    ＶＲＡＭ
１０４    選局部
１０５    ネットワーク接続部
１１０    制御ブロック
１１１    デバイス制御部
１１２    メッセージ表示制御部
１２０    表示ブロック
１２１    デコード部
１２２    出力部
１２３    表示位置特定部
１２４    画像解析部
１３０    選局ブロック
１３１    受信部
１３２    ＡＶ復号部
１３３    視聴予約実行部
１３４    メール監視部
【図１】
2011250348.tif 000003
【図２】
2011250348.tif 000004